(57)【要約】【課題】光ピックアップ装置の発熱部品を備える駆動回路基板に設置するサーミスタを用いて対物レンズの温度を認識して対物レンズの温度特性を補正する際に、補正不足や過剰補正を生じず適切な温度特性補正が可能な光ピックアップ装置および対物レンズの温度特性補正方法を提供する。【解決手段】サーミスタ１６が検知する温度情報に所定の温度認識操作を行い、対物レンズ７の温度を認識してレンズの温度特性を補正すると共に、システム起動から予め規定される所定時間Ｌ１待機し、所定時間経過後から温度認識操作を開始して対物レンズの温度を認識する温度認識操作待機機能を有する構成の光ピックアップ装置１および対物レンズの温度特性補正方法とした。【選択図】図１
2010287277.tif 000002
【特許請求の範囲】
【請求項１】
レーザーダイオードとレーザーダイオード駆動回路を備える基板にサーミスタを設置して、該サーミスタが検知する温度情報に基づいて前記レーザーダイオードの光出力を制御し、光ディスクにレーザー光を照射してデータの記録又は再生を行う光ピックアップ装置であって、
前記サーミスタが検知する温度情報から前記対物レンズの温度を認識する温度認識操作を行い、認識された対物レンズの温度から該レンズの温度特性を補正すると共に、
予め定める所定期間、前記温度認識操作を開始しない温度認識操作待機機能を有することを特徴とする光ピックアップ装置。
【請求項２】
前記所定期間が、光ピックアップ装置の駆動開始から予め規定される所定時間であって、前記温度認識操作待機機能が、前記所定時間、前記温度認識操作を停止し、前記所定時間経過後から前記温度認識操作を開始して前記対物レンズの温度を認識する温度認識操作待機機能であることを特徴とする請求項１に記載の光ピックアップ装置。
【請求項３】
前記所定期間が、前記サーミスタが検知する温度の変化量が予め規定する温度認識開始変化量を下回るまでの期間であって、前記温度認識操作待機機能が、前記サーミスタが検知する温度の変化量を計測し、該温度変化量が予め規定する温度認識開始変化量を下回るまで前記温度認識操作を開始しない温度認識操作待機機能であることを特徴とする請求項１に記載の光ピックアップ装置。
【請求項４】
前記温度認識操作待機機能が、前記サーミスタが検知する温度の変化量を計測し、該温度変化量が予め規定する温度認識開始変化量を下回るまで前記温度認識操作を開始しない機能と、光ピックアップ装置の駆動開始から予め規定される所定時間、前記温度認識操作を停止する機能を有し、
前記所定期間が、前記温度変化量が予め規定する温度認識開始変化量を下回ると共に予め規定される前記所定時間経過するまでの期間であることを特徴とする請求項１に記載の光ピックアップ装置。
【請求項５】
レーザーダイオードとレーザーダイオード駆動回路を備える基板にサーミスタを設置して、該サーミスタが検知する温度情報に基づいて、前記レーザーダイオードの光出力を制御し対物レンズの温度特性を補正して、光ディスクにレーザー光を照射してデータの記録又は再生を行う光ピックアップ装置の対物レンズの温度特性補正方法であって、
前記サーミスタが検知する温度情報から前記対物レンズの温度を認識する温度認識操作を行い、認識された対物レンズの温度から該レンズの温度特性を補正すると共に、
光ピックアップ装置の駆動開始から予め規定される所定時間、前記温度認識操作を停止し、前記所定時間経過後から前記温度認識操作を開始することを特徴とする対物レンズの温度特性補正方法。
【請求項６】
レーザーダイオードとレーザーダイオード駆動回路を備える基板にサーミスタを設置して、該サーミスタが検知する温度情報に基づいて、前記レーザーダイオードの光出力を制御し対物レンズの温度特性を補正して、光ディスクにレーザー光を照射してデータの記録又は再生を行う光ピックアップ装置の対物レンズの温度特性補正方法であって、
前記サーミスタが検知する温度情報から前記対物レンズの温度を認識する温度認識操作を行い、認識された対物レンズの温度から該レンズの温度特性を補正すると共に、
前記サーミスタが検知する温度の変化量を計測し、該温度変化量が予め規定する温度認識開始変化量を下回ったことを検知した後から前記温度認識操作を開始することを特徴とする対物レンズの温度特性補正方法。
【請求項７】
さらに、光ピックアップ装置の駆動開始から予め規定される所定時間、前記温度認識操作を停止し、前記所定時間経過後から前記温度認識操作の開始を許可する構成とし、前記温度変化量が予め規定する温度認識開始変化量を下回った状態であっても、予め規定される前記所定時間内であれば、温度認識操作を行わないことを特徴とする請求項６に記載の対物レンズの温度認識操作方法。
【請求項８】
前記温度認識開始変化量が１℃／３０秒であることを特徴とする請求項６または７に記載の対物レンズの温度認識操作方法。
【発明の詳細な説明】
【技術分野】
【０００１】
本発明は、光ディスクにレーザー光を照射してデータの記録又は再生を行う光ピックアップ装置および対物レンズの温度特性補正方法に関する。
【背景技術】
【０００２】
従来、円盤状記憶媒体として、ＣＤ（コンパクトディスク）やＤＶＤ（デジタル多用途ディスク）やＨＤ−ＤＶＤ（高密度ＤＶＤ）やブルーレイディスクなどの、多種類の光ディスクが実用化されている。このような多種類の光ディスクにおいては、使用するレーザー光の波長、記録面までの透明層の深さなどが異なることから、１個もしくは複数の対物レンズを用いて複数種類の光ディスクに対応させている。
【０００３】
また、光ディスクにレーザー光を照射してデータの記録又は再生を行う光ピックアップ装置が用いられている。光ピックアップ装置は、レーザー光を光ディスクの信号記録層にスポットとして集光させる対物レンズを備えている。この対物レンズは、従来、ガラス材料から形成されていた。しかし、ガラス材料からなる対物レンズは高価であり、また、ガラス材料は比重が大きいため、光ピックアップのレスポンス特性を高めるには不利である。これに対し、対物レンズを樹脂材料から形成すると、ガラス材料から形成する場合に比べ、対物レンズのコストを大幅に抑制できる。また、樹脂材料の比重はガラス材料の半分程度であるため、対物レンズの軽量化を実現し、高レスポンス化を図ることができる。
【０００４】
しかし、その一方で、樹脂材料からなる対物レンズは、ガラス材料からなる対物レンズに比べ、温度によって光学特性が変化し易いため、光ディスクの高密度化に伴って対物レンズの開口数が増加すると、対物レンズの光学特性の変化が記録／再生特性に少なからず影響を与える。
【０００５】
そのために、対物レンズの温度を検知するための温度センサをレンズホルダに埋め込んで、対物レンズ近傍の温度を検出して、所定の収差補正を行うとした光ヘッドが既に出願されている（例えば、特許文献１参照）。
【０００６】
また、光ディスクの温度を非接触型の温度センサを用いて認識して、レーザー光の制御を行うことも実施されており、光ディスクの温度に適したレーザー光の出力に制御するとした記録再生方法が既に出願されている（例えば、特許文献２参照）。
【０００７】
さらに、サーミスタを用いてレーザーダイオードの周囲温度を検出して、レーザーダイオードの発光パワーの制御精度を高めるとした光ディスク装置が本出願人から既に出願されている（例えば、特許文献３参照）。
【先行技術文献】
【特許文献】
【０００８】
【特許文献１】特開２００５−１８９２４号公報
【特許文献２】特開平９−２６５６５１号公報
【特許文献３】特開２００６−３３８７０１号公報
【発明の概要】
【発明が解決しようとする課題】
【０００９】
レーザーダイオードと対物レンズを用いて、レーザー光を光ディスクの信号記録層にスポットとして集光させるためには、レーザーダイオードの周囲温度を検知して、レーザーダイオードの発光パワーの制御精度を高めること、および、対物レンズの温度を検知して、対物レンズの温度に応じて変化する温度特性を補正する所定の補正（温度特性補正）を行うことが肝要である。
【００１０】
また、レーザーダイオードの周囲温度を検知するために、駆動回路基板にサーミスタを備える光ピックアップ装置においては、このサーミスタとは別に対物レンズの温度を検知する温度センサを配設することはコストアップとなる。そのために、駆動回路基板に設けるサーミスタを利用して対物レンズの温度を認識することが好ましい。
【００１１】
しかし、駆動回路基板に設けるサーミスタを用いて対物レンズの温度を認識して温度特性補正を行う方法においては、サーミスタが設置される基板周辺の発熱部品の駆動開始時からの立ち上がり温度の急激な変化や、サーミスタ部と対物レンズ部での温度差の影響によって、補正不足や過剰補正を引き起こすという問題を生じる。
【００１２】
そのために、駆動回路基板に設けるサーミスタの検知温度から対物レンズの温度を認識し、対物レンズの温度に応じて変化する温度特性を補正する際に、対物レンズの温度を正確に認識して適切な温度特性の補正を可能として補正不足や過剰補正を生じない対物レンズの温度特性補正方法が求められる。
【００１３】
本発明は、上記問題点に鑑み、光ピックアップ装置の発熱部品を備える駆動回路基板に設置するサーミスタを用いて対物レンズの温度を認識して対物レンズの温度特性を補正する際に、補正不足や過剰補正を生じず適切な温度特性補正が可能な光ピックアップ装置および対物レンズの温度特性補正方法を提供することを目的とする。
【課題を解決するための手段】
【００１４】
上記目的を達成するために本発明は、レーザーダイオードとレーザーダイオード駆動回路を備える基板にサーミスタを設置して、該サーミスタが検知する温度情報に基づいて前記レーザーダイオードの光出力を制御し、光ディスクにレーザー光を照射してデータの記録又は再生を行う光ピックアップ装置であって、前記サーミスタが検知する温度情報から前記対物レンズの温度を認識する温度認識操作を行い、認識された対物レンズの温度から該レンズの温度特性を補正すると共に、予め定める所定期間、前記温度認識操作を開始しない温度認識操作待機機能を有することを特徴としている。
【００１５】
この構成によると、光ピックアップ装置の駆動が開始されたシステム起動に伴い徐々に昇温するレーザーダイオードやレーザーダイオード駆動回路などの発熱部品の発熱により、サーミスタが検知する温度情報も高くなるが、予め定める所定期間、対物レンズの温度を認識する温度認識操作を行わない構成としているので、サーミスタが検知する温度情報と対物レンズの温度とが飽和温度に達して安定化した頃に、対物レンズの温度を認識する温度認識操作を開始することができる。そのために、対物レンズの温度を正確に認識して対物レンズの温度に応じて変化する温度特性の補正を適切に行うことが可能となって、補正不足や過剰補正を生じない光ピックアップ装置となる。
【００１６】
また本発明は、上記構成の光ピックアップ装置において、前記所定期間が、光ピックアップ装置の駆動開始から予め規定される所定時間であって、前記温度認識操作待機機能が、前記所定時間、前記温度認識操作を停止し、前記所定時間経過後から前記温度認識操作を開始して前記対物レンズの温度を認識する温度認識操作待機機能であることを特徴としている。この構成によると、所定時間が経過するまで対物レンズの温度特性の補正も行わず、飽和温度に達して安定化した頃に、所定の温度認識操作を開始して対物レンズの温度を認識して対物レンズの温度特性の補正を開始することになる。そのために、対物レンズの温度を正確に認識して対物レンズの温度に応じて変化する温度特性の補正を適切に行うことが可能となって、補正不足や過剰補正を生じない光ピックアップ装置となる。
【００１７】
また本発明は、上記構成の光ピックアップ装置において、前記所定期間が、前記サーミスタが検知する温度の変化量が予め規定する温度認識開始変化量を下回るまでの期間であって、前記温度認識操作待機機能が、前記サーミスタが検知する温度の変化量を計測し、該温度変化量が予め規定する温度認識開始変化量を下回るまで前記温度認識操作を開始しない温度認識操作待機機能であることを特徴としている。この構成によると、サーミスタの温度変化量が予め規定する温度認識開始変化量を下回った後、つまり、サーミスタの温度が飽和温度に略達した後で、所定の温度認識操作を開始して対物レンズの温度を認識する構成としているので、飽和温度に達して安定化した頃に、所定の温度認識操作を開始して対物レンズの温度を正確に認識して対物レンズの温度特性の補正を開始することになって、補正不足や過剰補正を生じず適切な温度特性補正が可能な光ピックアップ装置となる。
【００１８】
また本発明は、上記構成の光ピックアップ装置において、前記温度認識操作待機機能が、前記サーミスタが検知する温度の変化量を計測し、該温度変化量が予め規定する温度認識開始変化量を下回るまで前記温度認識操作を開始しない機能と、光ピックアップ装置の駆動開始から予め規定される所定時間、前記温度認識操作を停止する機能を有し、前記所定期間が、前記温度変化量が予め規定する温度認識開始変化量を下回ると共に予め規定される前記所定時間経過するまでの期間であることを特徴としている。この構成によると、サーミスタの温度変化量が予め規定する温度認識開始変化量を下回った状態であっても、予め規定する所定時間経過後でなければ温度認識操作を開始せず温度特性補正も行わない構成となるので、さらに補正不足や過剰補正を生じない安定した温度特性補正が可能な光ピックアップ装置となる。
【００１９】
また本発明は、レーザーダイオードとレーザーダイオード駆動回路を備える基板にサーミスタを設置して、該サーミスタが検知する温度情報に基づいて、前記レーザーダイオードの光出力を制御し対物レンズの温度特性を補正して、光ディスクにレーザー光を照射してデータの記録又は再生を行う光ピックアップ装置の対物レンズの温度特性補正方法であって、前記サーミスタが検知する温度情報から前記対物レンズの温度を認識する温度認識操作を行い、認識された対物レンズの温度から該レンズの温度特性を補正すると共に、光ピックアップ装置の駆動開始から予め規定される所定時間、前記温度認識操作を停止し、前記所定時間経過後から前記温度認識操作を開始することを特徴としている。
【００２０】
この構成によると、光ピックアップ装置の駆動が開始されると、駆動開始に伴い徐々に昇温するレーザーダイオードやレーザーダイオード駆動回路などの発熱部品の発熱により、サーミスタの温度情報も高くなるが、予め規定される所定時間経過後に、所定の温度認識操作を開始して対物レンズの温度を認識する構成としているので、所定時間が経過するまで対物レンズの温度特性補正も行わず、飽和温度に達して安定化した頃に、所定の温度認識操作を開始して対物レンズの温度を正確に認識して対物レンズの温度特性の補正を開始することになる。そのために、対物レンズの温度に応じて変化する温度特性の補正を適切に行うことが可能となって、補正不足や過剰補正を生じない対物レンズの温度特性補正方法となる。
【００２１】
また本発明は、レーザーダイオードとレーザーダイオード駆動回路を備える基板にサーミスタを設置して、該サーミスタが検知する温度情報に基づいて、前記レーザーダイオードの光出力を制御し対物レンズの温度特性を補正して、光ディスクにレーザー光を照射してデータの記録又は再生を行う光ピックアップ装置の対物レンズの温度特性補正方法であって、前記サーミスタが検知する温度情報から前記対物レンズの温度を認識する温度認識操作を行い、認識された対物レンズの温度から該レンズの温度特性を補正すると共に、前記サーミスタが検知する温度の変化量を計測し、該温度変化量が予め規定する温度認識開始変化量を下回ったことを検知した後から前記温度認識操作を開始することを特徴としている。
【００２２】
この構成によると、サーミスタの温度変化量が予め規定する温度認識開始変化量を下回った後、つまり、サーミスタの温度が飽和温度に略達した後で、所定の温度認識操作を開始して対物レンズの温度を認識して対物レンズの温度特性の補正を開始するので、補正不足や過剰補正を生じず適切な温度特性補正が可能な対物レンズの温度特性補正方法となる。
【００２３】
また本発明は、上記構成の対物レンズの温度特性補正方法において、さらに、光ピックアップ装置の駆動開始から予め規定される所定時間、前記温度認識操作を停止し、前記所定時間経過後から前記温度認識操作の開始を許可する構成とし、前記温度変化量が予め規定する温度認識開始変化量を下回った状態であっても、予め規定される前記所定時間内であれば、温度認識操作を行わないことを特徴としている。この構成によると、サーミスタの温度変化量が予め規定する温度認識開始変化量を下回っても、予め規定する所定時間経過後でなければ温度認識操作を開始しないので、さらに補正不足や過剰補正を生じない安定した温度特性補正が可能な対物レンズの温度特性補正方法となる。
【００２４】
また本発明は、上記構成の対物レンズの温度特性補正方法において、前記温度認識開始変化量が１℃／３０秒であることを特徴としている。この構成によると、光ピックアップ装置の駆動開始後に発熱するレーザーダーオードやレーザーダーオード駆動回路などの発熱部品によってサーミスタが配設される周囲温度が急上昇するが、この昇温程度が１℃／３０秒程度の温度変化量になると、略飽和状態に近いので、この略飽和温度状態となったと想定される早い時期に対物レンズの温度認識操作を開始して温度特性の補正を行うことになり、時間のロスなく補正不足や過剰補正を生じない安定した温度特性補正が可能となる。
【発明の効果】
【００２５】
本発明によれば、対物レンズの温度を正確に認識して適切な温度特性の補正を行うことが可能となって、補正不足や過剰補正を生じない対物レンズの温度特性補正方法を得ることができ、対物レンズの温度特性を適切に補正可能な光ピックアップ装置を得ることができる。
【図面の簡単な説明】
【００２６】
【図１】本発明に係る光ピックアップ装置の一例の構成を示す概略説明図である。
【図２】温度変化の概要を示す摸式図である。
【図３】各部の温度を測定した実測図である。
【図４】本発明に係る対物レンズの温度特性補正方法の第一実施形態のフローチャートである。
【図５】本発明に係る対物レンズの温度特性補正方法の第二実施形態のフローチャートである。
【図６】本発明に係る対物レンズの温度特性補正方法の第三実施形態のフローチャートである。
【発明を実施するための形態】
【００２７】
以下に本発明の実施形態を図面を参照して説明する。まず、図１を用いて、光ピックアップ装置について説明する。
【００２８】
本実施形態の光ピックアップ装置１は、光ディスク２０にレーザー光を照射してデータの記録又は再生を行う装置であって、例えば、図１に示すように、光源となるレーザーダイオード２と、偏光ビームスプリッタ３と、コリメートレンズ４と、立ち上げミラー５と、１／４波長板６と、対物レンズ７と、シリンドリカルレンズ８と、光検出器９とを備えていて、対物レンズ７を用いてレーザー光を光ディスク２０の記録面２０ａに集光させている。
【００２９】
レーザーダイオード２は、所定波長のレーザー光を出射する半導体レーザーであって、光ディスク２０に対応して選択される。また、一種類の光ディスク２０に対応した一つのレーザーダイオード２を備えた光ピックアップ装置１として図示しているが、複数種類の光ディスク２０に対応した複数のレーザーダイオード２を備えた光ピックアップ装置であってもよい。
【００３０】
偏光ビームスプリッタ３は、偏光方向が互いに直交する二つの直線偏光の一方を透過させ、他方の直線偏光を反射させる機能を有し、レーザーダイオード２が出射するレーザー光を透過し、光ディスク２０が反射したレーザー光を光検出器９に向けて反射する。光検出器９は、受光したレーザー光が有する光情報を電気信号に変換する。
【００３１】
コリメートレンズ４は、入射するレーザー光を平行光に変換する機能を有する。また、このコリメートレンズ４をコリメートレンズ駆動ユニット１０に組み込んで光軸方向に移動可能として、コリメートレンズ４を通過するレーザー光の収束発散状態を調整可能とする球面収差補正機構１１を構成している。
【００３２】
立ち上げミラー５は、コリメートレンズ４から送られるレーザー光を光ディスク２０に向けて反射する。また、１／４波長板６は、直線偏光を円偏光に変換し、円偏光を直線偏光に変換する機能を有し、立ち上げミラー５が反射した直線偏光のレーザー光を円偏光に変換して対物レンズ７に入射し、光ディスク２０から反射される円偏光のレーザー光を直線偏光に変換して、立ち上げミラー５からコリメートレンズ４に入射させる。
【００３３】
対物レンズ７は、レーザー光を集光して光ディスク２０の記録面２０ａに照射し、記録面２０ａから反射されたレーザー光を受光して１／４波長板６に入射させる。
【００３４】
この対物レンズ７は、レーザー光を光ディスク２０の記録面２０ａにスポットとして集光させる機能を有するが、ガラスレンズと比較して軽量であり、また大量生産が可能でコストが安いプラスチックレンズを使用することが好ましい。
【００３５】
また、例えば、対物レンズ７と１／４波長板６とを共にアクチュエータ１２に搭載して、フォーカス方向とトラッキング方向に移動可能としている。
【００３６】
シリンドリカルレンズ８は、光ディスク２０の記録面２０ａから反射されたレーザー光に非点収差を与える機能を有し、この非点収差をフォーカスエラー検出に用いることができる。
【００３７】
光検出器９から出力される電気信号は、信号処理部１３に送られる。信号処理部１３は、光検出器９から受け取った電気信号を処理して、ＲＦ信号、フォーカスエラー信号（ＦＥ信号）、トラッキングエラー信号（ＴＥ信号）等を生成する。なお、ＲＦ信号によって情報の読み出しが行われ、ＦＥ信号、ＴＥ信号に基づいてフォーカシング制御やトラッキング制御が行われる。
【００３８】
制御部１４は、光ピックアップ装置１の動作全体を制御する機能を有する。例えば、レーザーダイオード駆動回路１５の制御や、球面収差補正機構１１の制御や、前述したアクチュエータ１２の制御などを行う。
【００３９】
また、レーザーダイオード駆動回路１５を備えた基板上にサーミスタ１６を配設して、このサーミスタ１６からの温度情報からレーザーダイオード２の光出力を制御する。さらに、サーミスタ１６の温度情報から対物レンズ７の温度を認識して、得られた温度に応じて対物レンズ７の温度特性を補正する制御を行う。
【００４０】
対物レンズ７の温度特性を補正する制御の一つである球面収差補正機構１１の制御は、制御部１４が信号処理部１３から情報を受け取って行うことも可能であるが、上記したように、サーミスタ１６の温度情報から対物レンズ７の温度を認識して、認識された温度に応じて行うことができる。また、これらを組み合わせることも可能であって、サーミスタ１６の温度情報から所定の補正制御を行い、その後で、信号処理部１３からの信号を用いて微調整することもできる。
【００４１】
光ディスク２０に記録されている信号の読み出し動作や信号の記録動作を行うためには、レーザー光の照射によって生成されるスポットの形状を良好な状態にする必要がある。また、スポットの形状に悪影響を与えるものとして球面収差、非点収差及びコマ収差等の収差があり、これらの収差による影響を無くするために所望される任意の形状に成型容易なプラスチックレンズを用いることが好ましい。
【００４２】
しかし、プラスチックレンズは、温度変化に伴ってレンズの形状や屈折率が変化することに起因して光学特性が大きく変化し、前述した収差が発生するという欠点があるので、レンズの温度により光学特性を調整する温度特性補正を行う。
【００４３】
上記した周囲温度の変化に対するレンズを通過する光に発生する収差量の度合いを温度特性と称し、特にプラスチックレンズを用いる場合には、周囲温度の変化に応じてこの温度特性を調整する必要が生じる。レンズの温度特性を調整するために、特性補正用のレンズ機構や液晶収差補正素子などを設けて、これらをレンズの温度に応じて調整する温度特性補正を行うことができる。
【００４４】
この温度特性補正を行う際には、対物レンズ７の温度を正しく認識することが肝要であるが、本実施形態では、レーザーダイオード２の周囲温度を検知して、レーザーダイオード２の発光パワーの制御精度を高めるために設置しているサーミスタ１６を用いている。つまり、レーザーダイオード２を駆動するためのレーザーダイオード駆動回路１５を設ける基板上に配設するサーミスタ１６を用いて、対物レンズ７の温度を認識する構成としている。
【００４５】
また、レーザーダイオード駆動回路１５は、駆動が開始されると発熱するので、サーミスタ周辺の温度もシステムが起動されると共に昇温し、所定時間経過後に略飽和温度に達する。そのために、サーミスタ１６が検知する温度と対物レンズ７の温度とは、所定時間経過するまでは、その差が大きく、徐々に一定の差に収束して飽和する。このように、所定時間が経過した後は、サーミスタ１６が検知する温度情報から所定の温度認識操作を行い、対物レンズ７の温度を正確に割り出すことができる。つまり、サーミスタ１６が検知する温度情報から対物レンズ７の温度を認識することができる。
【００４６】
ここで、図２に示す温度変化の概要を示す摸式図を用いて、サーミスタ１６が検知する温度と対物レンズ７の温度との関係について説明する。
【００４７】
図の横軸にはシステム起動後経過時間を示し、縦軸には温度を示す。また、システム起動の時ｔ０、このｔ０から所定時間Ｌ１経過した時ｔ１、周囲温度が変化する時ｔ２を示し、このときの対物レンズの温度ＴＬとサーミスタの温度ＴＳと発熱部品の温度ＴＰを示し、これらの関係、および温度変化の様子を示している。
【００４８】
この図から判るように、システム起動の時ｔ０から所定時間Ｌ１経過時ｔ１までは、発熱部品の温度ＴＰは急激に上昇する。また、サーミスタ温度ＴＳも発熱部品の昇温に連動して急激に上昇する。
【００４９】
しかし、対物レンズの温度ＴＬは周囲温度が一定の時ｔ２までは略一定であるが、周囲温度が変化する時ｔ２以降は、周囲温度の上昇と共に昇温する。また、このときは、サーミスタ温度ＴＳも同様の昇温カーブを示すので、所定時間Ｌ１経過後は、サーミスタ温度ＴＳから対物レンズの温度ＴＬを認識することができる。つまり、温度認識操作が可能となる。
【００５０】
上記したように、駆動開始時から所定時間経過した後の期間Ｌ２では、サーミスタが検知する温度情報から対物レンズ７の温度を認識することができる。また、この期間Ｌ２において、周囲温度が変化しない期間Ｌ２１と周囲温度が変化する期間Ｌ２２が想定されるが、このいずれの期間においても、サーミスタの温度ＴＳと対物レンズの温度ＴＬとの間には所定の相関関係が認められるので、サーミスタの温度ＴＳから所定の温度認識操作を介して、対物レンズの温度ＴＬを正確に求めることができる。
【００５１】
このために、本実施形態においては、光ピックアップ装置の駆動開始から予め規定される所定時間、温度認識操作を停止し、所定時間経過後から温度認識操作を開始して対物レンズの温度を認識する温度認識操作待機機能を有する光ピックアップ装置１としたものである。つまり、所定時間Ｌ１は、補正を行わない待機時間となる。
【００５２】
この構成であれば、光ピックアップ装置の駆動が開始されると、システム起動に伴い徐々に昇温するレーザーダイオードやレーザーダイオード駆動回路などの発熱部品の発熱により、サーミスタの温度情報も高くなるが、温度認識操作待機機能により、予め規定される所定時間待機し所定時間経過後に、所定の温度認識操作を開始して対物レンズの温度を認識する構成としているので、所定時間が経過するまで対物レンズの温度特性補正も行わず、飽和温度に達して安定化した頃に、所定の温度認識操作を開始して対物レンズの温度を認識して対物レンズの温度特性の補正を開始することになる。そのために、対物レンズの温度に応じて変化する温度特性の補正を適切に行うことが可能となって、補正不足や過剰補正を生じない光ピックアップ装置となって好ましい。
【００５３】
また、サーミスタが検知する温度の変化量を計測し、該温度変化量が予め規定する温度認識開始変化量を下回ったことを検知した後から前記温度認識操作を開始して前記対物レンズの温度を認識することも可能である。このサーミスタが検知する温度の変化量が予め規定する温度認識開始変化量を下回るまでの期間を温度認識操作待機期間とする構成であれば、サーミスタの温度変化量が予め規定する温度認識開始変化量を下回った後、つまり、サーミスタの温度が略飽和温度に達した後で、所定の温度認識操作を開始して対物レンズの温度を認識する構成となる。このように、サーミスタが検知する温度の変化量が予め規定する温度認識開始変化量を下回るまでの所定期間、温度認識操作を開始せず、飽和温度に達して安定化した頃に、所定の温度認識操作を開始して対物レンズの温度を認識して対物レンズの温度特性の補正を開始するので、補正不足や過剰補正を生じず適切な温度特性補正が可能な光ピックアップ装置となって好ましい。
【００５４】
また、温度認識操作待機機能が、サーミスタが検知する温度の変化量を計測し、該温度変化量が予め規定する温度認識開始変化量を下回るまで前記温度認識操作を開始しない機能と、光ピックアップ装置の駆動開始から予め規定される所定時間、前記温度認識操作を停止する機能とを備える構成であれば、サーミスタの温度変化量が予め規定する温度認識開始変化量を下回った状態であっても、予め規定する所定時間経過後でなければ温度認識操作を開始せず温度特性補正も行わないので、さらに補正不足や過剰補正を生じない安定した温度特性補正が可能な光ピックアップ装置となって好ましい。
【００５５】
上記したように、光ピックアップ装置の駆動開始から予め規定される所定時間、前記温度認識操作を停止する機能を備えた光ピックアップ装置であれば、光ピックアップ装置の駆動開始から予め規定される所定時間、前記温度認識操作を停止し、前記所定時間経過後から前記温度認識操作を開始して前記対物レンズの温度を認識して、温度特性の補正を開始する温度特性補正方法を採用することができる。また、この温度特性補正方法であれば、所定時間が経過するまで対物レンズの温度特性補正も行わず、飽和温度に達して安定化した頃に、所定の温度認識操作を開始して対物レンズの温度を認識して対物レンズの温度特性の補正を開始することになり、対物レンズの温度に応じて変化する温度特性の補正を適切に行うことが可能となって、補正不足や過剰補正を生じない対物レンズの温度特性補正方法となって好ましい。
【００５６】
また、サーミスタが検知する温度の変化量を計測し、該温度変化量が予め規定する温度認識開始変化量を下回るまで前記温度認識操作を開始しない機能を備えた光ピックアップ装置であれば、サーミスタの温度変化量が予め規定する温度認識開始変化量を下回ったことを検知した後、つまり、サーミスタの温度が飽和温度に略達した後で、所定の温度認識操作を開始して対物レンズの温度を認識して対物レンズの温度特性の補正を開始する温度特性補正方法を採用することができる。この温度特性補正方法であれば、補正不足や過剰補正を生じず適切な温度認識操作が可能な対物レンズの温度特性補正方法となって好ましい。
【００５７】
さらに、所定時間、前記温度認識操作を停止する機能と温度変化量が予め規定する温度認識開始変化量を下回るまで前記温度認識操作を開始しない機能を共に備えた光ピックアップ装置であれば、サーミスタの温度変化量が予め規定する温度認識開始変化量を下回っても、予め規定する所定時間経過後でなければ温度認識操作を開始しない温度特性補正方法を採用することができる。この温度特性補正方法であれば、サーミスタの温度変化量が小さくなっても、サーミスタの温度が飽和温度に達する程度の時間待機させることで、さらに補正不足や過剰補正を生じない安定した温度特性補正が可能な対物レンズの温度特性補正方法となって好ましい。
【００５８】
また、上記した温度認識開始変化量は１℃／３０秒程度としている。これは、図３に示すように、システム起動後の始めの２分間で約８℃（２℃／３０秒に相当）昇温するサーミスタ温度が、略飽和温度となる５分を過ぎた後は２℃／２分（０．５℃／３０秒に相当）程度しか昇温しないことから、飽和温度に近づいたことを察知する適当な数値目標であると想定される。この構成であれば、光ピックアップ装置の駆動開始後に発熱するレーザーダイオードやレーザーダイオード駆動回路などの発熱部品によってサーミスタが配設される周囲温度が急上昇するが、この昇温程度が１℃／３０秒程度になると、略飽和状態に近いので、この略飽和温度状態となったと想定される早い時期に対物レンズの温度認識操作を開始して温度特性の補正を行うことになり、時間のロスなく補正不足や過剰補正を生じない安定した温度特性補正が可能となる。
【００５９】
上記したように、システム起動後の約５分で略飽和温度に達しているので、前述した温度認識操作待機機能を介して設定する所定時間Ｌ１は５分程度が適当である。また、サーミスタの温度変化量が１℃／３０秒以下に低下しても、予め規定する所定時間Ｌ１＝５分は、対物レンズの温度を認識しない待機時間とし、５分経過後に、対物レンズの温度を認識して所定の温度特性の補正を行う対物レンズの温度特性補正方法とすることで、補正不足や過剰補正を生じず適切な温度特性補正が可能となる。
【００６０】
次に、図４、図５、図６に示すフローチャートを用いて温度特性補正方法の操作手順についてさらに説明する。
【００６１】
図４に示す第一実施形態のフローチャートは、所定時間経過したことを確認するまで温度認識操作を開始しない温度認識操作待機機能を用いた操作手順である。この操作手順では、システム起動後、所定時間経過確認し、予め規定する所定時間経過した後で温度認識操作開始して対物レンズの温度認識を行い、対物レンズの温度特性補正を行う。
【００６２】
図５に示す第二実施形態のフローチャートは、サーミスタの温度変化量を計測すると共にこの変化量が予め規定する温度認識開始変化量を下回るまで温度認識操作を開始しない温度認識操作待機機能を用いた操作手順である。この操作手順では、システム起動後、サーミスタの温度変化量を計測し、温度認識開始変化量を確認した後で温度認識操作開始して対物レンズの温度認識を行い、対物レンズの温度特性補正を行う。
【００６３】
図６に示す第三実施形態のフローチャートは、サーミスタの温度変化量を計測すると共にこの変化量が予め規定する温度認識開始変化量を下回ったことを確認し、さらに、所定時間経過したことを確認するまで温度認識操作を開始しない温度認識操作待機機能を用いた操作手順である。この操作手順では、システム起動後、サーミスタの温度変化量を計測し、温度認識開始変化量を確認し、さらに、予め規定する所定時間経過確認した後で温度認識操作開始して対物レンズの温度認識を行い、対物レンズの温度特性補正を行う。
【００６４】
上記した第一、第二、第三実施形態の温度特性補正方法は、いずれもが、予め定める所定期間温度認識操作を開始しない温度認識操作待機機能を備えて、サーミスタが検知する温度情報と対物レンズの温度とが飽和温度に達して安定化した頃に、対物レンズの温度を認識する温度認識操作を開始して、対物レンズの温度を正確に認識して、適切な温度特性補正を行うことを可能とする方法である。
【００６５】
以上、レーザーダイオード駆動回路を設けた基板上に配設するサーミスタを用いて、対物レンズの温度を認識する光ピックアップ装置および対物レンズの温度特性補正方法について説明してきたが、対物レンズの温度を認識する温度センサは、その他の発熱部品の温度を検知する温度センサを利用してもよい。この場合でも、システム起動直後は発熱部品が急激に発熱するので、予め定める所定期間温度認識操作を開始しない温度認識操作待機機能を備える構成とすることが好ましい。このような構成の光ピックアップ装置および対物レンズの温度特性補正方法であれば、補正不足や過剰補正を生じず適切な温度特性補正が可能な光ピックアップ装置および対物レンズの温度特性補正方法となる。
【００６６】
上記したように、本発明に係る光ピックアップ装置によれば、サーミスタが検知する温度情報に所定の温度認識操作を行い、前記対物レンズの温度を認識してレンズの温度特性を補正すると共に、予め定める所定期間温度認識操作を開始しない温度認識操作待機機能を備える構成としたので、サーミスタが検知する温度情報と対物レンズの温度とが飽和温度に達して安定化した頃に、対物レンズの温度を認識する温度認識操作を開始することができ、対物レンズの温度を正確に認識して対物レンズの温度に応じて変化する温度特性の補正を適切に行うことが可能となって、補正不足や過剰補正を生じない光ピックアップ装置を得ることができる。
【００６７】
また、前記温度認識操作待機機能が、システム起動から予め規定される所定時間待機する機能であって、所定時間経過後から温度認識操作を開始して対物レンズの温度を認識する構成としたので、飽和温度に達して安定化した頃に、所定の温度認識操作を開始して対物レンズの温度を認識して対物レンズの温度特性の補正を開始することになり、対物レンズの温度に応じて変化する温度特性の補正を適切に行うことが可能となって、補正不足や過剰補正を生じない光ピックアップ装置となる。
【００６８】
また、前記温度認識操作待機機能が、サーミスタの温度変化量が予め規定する温度認識開始変化量を下回るまで前記温度認識操作を開始しない機能であって、サーミスタの温度変化量が予め規定する温度認識開始変化量を下回った後から前記温度認識操作を開始して前記対物レンズの温度を認識する構成としたので、サーミスタの温度変化量が予め規定する温度認識開始変化量を下回った後、つまり、サーミスタの温度が飽和温度に略達した後で、所定の温度認識操作を開始して対物レンズの温度を認識する構成となる。そのために、飽和温度に達して安定化した頃に、所定の温度認識操作を開始して対物レンズの温度を認識して対物レンズの温度特性の補正を開始して、補正不足や過剰補正を生じず適切な温度特性補正が可能な光ピックアップ装置となる。
【００６９】
さらに、所定時間、前記温度認識操作を停止する機能と温度変化量が予め規定する温度認識開始変化量を下回るまで前記温度認識操作を開始しない機能を共に備えて、温度変化量が予め規定する温度認識開始変化量を下回った状態であっても、予め規定される前記所定時間内であれば、温度認識操作を行わない構成としたので、サーミスタの温度変化量が予め規定する温度認識開始変化量を下回った状態であっても、予め規定する所定時間経過後でなければ温度認識操作を開始せず温度特性補正も行わない構成となって、さらに補正不足や過剰補正を生じない安定した温度特性補正が可能な光ピックアップ装置となる。
【００７０】
また、本発明に係る対物レンズの温度特性補正方法によれば、サーミスタが検知する温度情報に所定の温度認識操作を行い、前記対物レンズの温度を認識してレンズの温度特性を補正する際に、システム起動から予め規定される所定時間待機し、所定時間経過後から温度認識操作を開始して対物レンズの温度を認識して温度特性を補正する温度特性補正方法としたので、飽和温度に達して安定化した頃に、所定の温度認識操作を開始して対物レンズの温度を正確に認識することができる。そのために、対物レンズの温度に応じて変化する温度特性の補正を適切に行うことが可能となって、補正不足や過剰補正を生じない対物レンズの温度特性補正方法を得ることができる。
【００７１】
また、サーミスタが検知する温度の変化量を計測し、該温度変化量が予め規定する温度認識開始変化量を下回った後から前記温度認識操作を開始して前記対物レンズの温度を認識して温度特性を補正する構成としたので、飽和温度に達して安定化した頃に、所定の温度認識操作を開始して対物レンズの温度を正確に認識して対物レンズの温度特性の補正を、補正不足や過剰補正を生じず適切に行うことが可能な対物レンズの温度特性補正方法となる。
【００７２】
また、サーミスタの温度変化量が予め規定する温度認識開始変化量を下回った状態であっても、予め規定する所定時間経過後でなければ温度認識操作を開始せず温度特性補正も行わない構成とすることで、さらに補正不足や過剰補正を生じない安定した温度特性補正が可能な対物レンズの温度特性補正方法となる。
【産業上の利用可能性】
【００７３】
そのために、本発明に係る光ピックアップ装置および対物レンズの温度特性補正方法は、発熱部品と非発熱部品からなる複数の部品がそれぞれ温度特性を有する場合であっても、一個の温度センサを用いて発熱部品と非発熱部品の両方の温度を正確に認識可能となるので、発熱部品であるレーザーダイオードと非発熱部品である対物レンズを備える光ピックアップ装置に好適に適用することができる。
【符号の説明】
【００７４】
１    光ピックアップ装置
２    レーザーダイオード
７    対物レンズ
１４    制御部
１５    レーザーダイオード駆動回路
１６    サーミスタ
Ｌ１    所定時間（温度認識操作待機時間）
ＴＬ    対物レンズの温度
ＴＳ    サーミスタ温度
ＴＰ    発熱部品の温度
【図１】
2010287277.tif 000003
【図２】
2010287277.tif 000004
【図３】
2010287277.tif 000005
【図４】
2010287277.tif 000006
【図５】
2010287277.tif 000007
【図６】
2010287277.tif 000008